(57)【特許請求の範囲】
【請求項１】
主走査に伴い、主走査ライン上に並ぶ各画素を順次計数する画素カウンタと、
副走査に伴い、副走査方向に並ぶ各主走査ラインを順次計数するラインカウンタと、
画素カウンタ及びラインカウンタによって計数された画素計数値及びライン計数値に応じてパターンを生成するためのパターン生成規則を記憶する記憶手段と、
画素カウンタ及びラインカウンタによって計数された画素計数値及びライン計数値と記憶手段内のパターン生成規則により、パターンを生成して出力するパターン生成手段とを備え、
パターン生成手段は、画素カウンタによって計数された画素計数値から少なくとも１つの位の値を選択する第１画素セレクタと、第１画素セレクタによって選択された値から少なくとも１つの位の値を選択する第２画素セレクタと、ラインカウンタによって計数されたライン計数値から少なくとも１つの位の値を選択する第１ラインセレクタと、第１ラインセレクタによって選択された値から少なくとも１つの位の値を選択する第２ラインセレクタとを有しており、記憶手段内のパターン生成規則に従って、第１及び第２画素セレクタと第１及び第２ラインセレクタの動作を設定し、第１及び第２画素セレクタのいずれかにより選択された値もしくは第１及び第２ラインセレクタのいずれかにより選択された値に対応するパターンを生成して出力することを特徴とする画像処理装置。
【請求項２】
パターン生成手段は、記憶手段内のパターン生成規則に従って、画素カウンタによって計数された画素計数値が一定の値幅増加する度に、パターンを形成する画素の選択と非選択を切り換えることを特徴とする請求項１に記載の画像処理装置。
【請求項３】
パターン生成手段は、記憶手段内のパターン生成規則に従って、ラインカウンタによって計数されたライン計数値が一定の値幅増加する度に、パターンを形成する主走査ラインの選択と非選択を切り換えることを特徴とする請求項１に記載の画像処理装置。
【請求項４】
主走査に伴い、主走査ライン上に並ぶ各画素を順次計数する画素カウンタと、
副走査に伴い、副走査方向に並ぶ各主走査ラインを順次計数するラインカウンタと、
画素カウンタ及びラインカウンタによって計数された画素計数値及びライン計数値に応じてパターンを生成するためのパターン生成規則を記憶する記憶手段と、
画素カウンタ及びラインカウンタによって計数された画素計数値及びライン計数値と記憶手段内のパターン生成規則により、パターンを生成して出力するパターン生成手段とを備え、
パターン生成手段は、画素カウンタによって計数された画素計数値及びラインカウンタによって計数されたライン計数値を演算処理する演算手段と、演算手段の演算処理により求められた演算値から少なくとも１つの位の値を選択するセレクタとを有しており、記憶手段内のパターン生成規則に従って、演算手段及びセレクタの動作を設定し、演算手段の演算処理により求められた演算値又はセレクタにより選択された値に対応するパターンを生成して出力することを特徴とする画像処理装置。
【請求項５】
パターン生成手段は、各画素毎に、画素カウンタ及びラインカウンタによって計数された画素計数値及びライン計数値を加算もしくは減算し、この演算値をパターンを形成する画素の値として出力することを特徴とする請求項４に記載の画像処理装置。
【請求項６】
パターン生成手段は、各画素毎に、画素カウンタ及びラインカウンタによって計数された画素計数値及びライン計数値から予め設定されたそれぞれの桁の値を選択して、これらの桁の値の論理和を求め、この論理和をパターンを形成する画素の値として出力することを特徴とする請求項４に記載の画像処理装置。
【請求項７】
パターン生成手段は、各画素毎に、画素カウンタ及びラインカウンタによって計数された画素計数値及びライン計数値から予め設定されたそれぞれの桁の値を選択して、これらの桁の値の論理積を求め、この論理積をパターンを形成する画素の値として出力することを特徴とする請求項４に記載の画像処理装置。
【請求項８】
予め設定されたルックアップテーブルを有しており、パターン生成手段からパターンを入力すると、ルックアップテーブルに基づいて該パターンを変換して出力するパターン変換手段を更に備えることを特徴とする請求項１乃至７のいずれかに記載の画像処理装置。
【請求項９】
パターン生成手段からパターンを入力すると、このパターンに対して予め定められた画像処理を施して出力する処理手段を更に備えることを特徴とする請求項１乃至８のいずれかに記載の画像処理装置。
【請求項１０】
パターン生成手段によって参照されるパターン生成規則を変更する変更手段を更に備えることを特徴とする請求項１乃至９のいずれかに記載の画像処理装置。
【請求項１１】
原稿画像を読み取って、画像を出力する原稿読み取り手段と、
パターン生成手段から出力されたパターン及び原稿読み取り手段から出力された画像を合成する合成手段とを更に備えることを特徴とする請求項１乃至１０のいずれかに記載の画像処理装置。
【請求項１２】
原稿読み取り手段から出力された画像における任意の領域を指定する指定手段を更に備え、
合成手段は、指定手段によって指定された領域にパターン生成手段から出力されたパターンを合成することを特徴とする請求項１１に記載の画像処理装置。
【請求項１３】
主走査に伴い、主走査ライン上に並ぶ各画素を順次計数する画素カウンタと、
画素カウンタによって計数された画素計数値に応じてパターンを生成するためのパターン生成規則を記憶する記憶手段と、
画素カウンタによって計数された画素計数値と記憶手段内のパターン生成規則により、パターンを生成して出力するパターン生成手段とを備え、
パターン生成手段は、画素カウンタによって計数された画素計数値から少なくとも１つの位の値を選択する第１画素セレクタと、第１画素セレクタによって選択された値から少なくとも１つの位の値を選択する第２画素セレクタとを有しており、記憶手段内のパターン生成規則に従って、第１及び第２画素セレクタの動作を設定し、第１及び第２画素セレクタのいずれかにより選択された値に対応するパターンを生成して出力することを特徴とする画像処理装置。
【請求項１４】
副走査に伴い、副走査方向に並ぶ各主走査ラインを順次計数するラインカウンタと、
ラインカウンタによって計数されたライン計数値に応じてパターンを生成するためのパターン生成規則を記憶する記憶手段と、
ラインカウンタによって計数されたライン計数値と記憶手段内のパターン生成規則により、パターンを生成して出力するパターン生成手段とを備え、
パターン生成手段は、ラインカウンタによって計数されたライン計数値から少なくとも１つの位の値を選択する第１ラインセレクタと、第１ラインセレクタによって選択された値から少なくとも１つの位の値を選択する第２ラインセレクタとを有しており、記憶手段内のパターン生成規則に従って、第１及び第２ラインセレクタの動作を設定し、第１及び第２ラインセレクタのいずれかにより選択された値に対応するパターンを生成して出力することを特徴とする画像処理装置。
【発明の詳細な説明】
【０００１】
【発明の属する技術分野】
本発明は、パターンを生成して出力する画像処理装置に関する。
【０００２】
【従来の技術】
例えば、ディジタル複写装置等には、原稿画像を読み取って、この画像を記録用紙に記録するだけでなく、予め設定されたパターンを該装置内のメモリに記憶しておき、このメモリからパターンを読み出して出力するというものがある。このパターンを示す画像信号は、該装置内の回路に入力されて、この回路の動作テストに用いられる。また、このパターンは、電子印章や罫線であって、読み取られた画像に合成されて記録用紙に記録される（例えば特開平７−２３２０８号公報を参照）。
【０００３】
この様な従来の装置は、例えば図１７に示す様に構成されている。この装置において、ＣＣＤ８０１は、原稿の画像を読み取り、この画像を示すアナログの画像信号を出力する。Ａ／Ｄ変換器８０２は、このアナログの画像信号をデジタルの画像信号に変換して、この画像信号を画像データとして画像処理部８０３に転送する。画像処理部８０３は、この画像データに対して各種の処理を施してから、この画像データをセレクタ８０４に送出する。
【０００４】
一方、中央処理装置（ＣＰＵ）８０５は、予め設定されたパターンの記録を操作パネル８０６から指示されると、ＲＯＭ８０７における該パターンのアドレスをレジスタ８０９に書き込む。これにより、ＲＯＭ８０７から該パターンを示す画像データが読み出され、この画像データがセレクタ８０４に送出される。
【０００５】
セレクタ８０４は、画像処理部８０３からの画像データ（原稿の画像）及びＲＯＭ８０７からの画像データ（パターン）を適宜に切り替えてレーザ書き込みユニット８０８に出力する。レーザ書き込みユニット８０８は、レーザー光によって図示されない感光体を走査して、この感光体に静電潜像を書き込む。この静電潜像にトナー像を付着し、このトナー像を記録用紙に転写して定着する。
【０００６】
また、水平同期信号検出部８１０は、レーザ書き込みユニット８０８からの水平同期信号を入力し、この水平同期信号に応答して主走査の開始時に、画素カウンタ８１１をリセットする。画素カウンタ８１１は、この主走査の期間に、装置内部で生成されている画素クロック信号を計数する。更に、ページ同期信号検出部８１２は、ＣＰＵ８０５からのページ同期信号を入力し、このページ同期信号に応答してページの開始時点で、ラインカウンタ８１３をリセットする。ラインカウンタ８１３は、このページの期間に、水平同期信号、つまり各主走査ラインを計数する。
【０００７】
【発明が解決しようとする課題】
しかしながら、上記従来の装置においては、メモリ（例えばＲＯＭ）をパターンを記憶するためのビットマップメモリとして用いているので、大きな記憶容量のメモリが必要になった。
【０００８】
そこで、本発明は、上記従来の問題に鑑みてなされたものであり、パターンをメモリに記憶することなく、パターンを生成して出力することが可能な画像処理装置を提供することを目的とする。
【０００９】
【課題を解決するための手段】
上記課題を解決するために、本発明の画像処理装置は、主走査に伴い、主走査ライン上に並ぶ各画素を順次計数する画素カウンタと、副走査に伴い、副走査方向に並ぶ各主走査ラインを順次計数するラインカウンタと、画素カウンタ及びラインカウンタによって計数された画素計数値及びライン計数値に応じてパターンを生成するためのパターン生成規則を記憶する記憶手段と、画素カウンタ及びラインカウンタによって計数された画素計数値及びライン計数値と記憶手段内のパターン生成規則により、パターンを生成して出力するパターン生成手段とを備えている。
【００１０】
この様な構成の本発明によれば、画素計数値及びライン計数値とパターン生成規則により、パターンが生成されて出力される。従って、パターンを記憶するメモリを必要としない。また、パターン生成規則を記憶する記憶手段を必要とするが、このパターン生成規則のデータ量が少ないので、記憶手段の記憶容量を小さく抑えることができる。更に、画素カウンタ及びラインカウンタは、主走査及び副走査を行う画像処理装置に当然備えられているので、これらのカウンタを格別に付設する必要がない。このため、極めて小さな回路規模で、パターンを生成することが可能となる。
【００１１】
また、本発明においては、パターン生成手段は、記憶手段内のパターン生成規則に従って、画素カウンタによって計数された画素計数値が一定の値幅増加する度に、パターンを形成する画素の選択と非選択を切り換えている。
【００１２】
ここでは、例えば２画素毎に、画素を選択する。この様な処理を各主走査ライン毎に繰り返せば、複数の縦線を１画素分の間隔を開けて配列してなるパターンが生成される。
【００１３】
更に、本発明においては、パターン生成手段は、記憶手段内のパターン生成規則に従って、ラインカウンタによって計数されたライン計数値が一定の値幅増加する度に、パターンを形成する主走査ラインの選択と非選択を切り換えている。
【００１４】
ここでは、例えば２主走査ライン毎に、主走査ラインが選択される。これによって、複数の横線を１主走査ライン分の間隔を開けて配列してなるパターンが生成される。
【００１５】
また、本発明においては、パターン生成手段は、画素カウンタ及びラインカウンタによって計数された画素計数値及びライン計数値と、記憶手段内のパターン生成規則と、予め定められた演算処理とにより、パターンを生成して出力する。
【００１６】
この演算処理を付加することにより、生成されるパターンが多様化される。
【００１７】
更に、本発明においては、パターン生成手段は、各画素毎に、画素カウンタ及びラインカウンタによって計数された画素計数値及びライン計数値を加算もしくは減算し、この演算値をパターンを形成する画素の値として出力する。
【００１８】
この様に各画像毎に、画素計数値及びライン計数値を加算もしくは減算して、画素の値を求めると、各主走査ラインの位置に応じて、主走査ライン上の各画素の値が規則的に変化する。この結果として、斜めのパターンが生成される。
【００１９】
また、本発明においては、パターン生成手段は、各画素毎に、画素カウンタ及びラインカウンタによって計数された画素計数値及びライン計数値から予め設定されたそれぞれの桁の値を選択して、これらの桁の値の論理和を求め、この論理和をパターンを形成する画素の値として出力する。
【００２０】
例えば、各画素毎に、画素計数値及びライン計数値から最下位の桁のそれぞれの値（０又は１の２値を示す）を選択して、これらの論理和を画素の値として求めると、複数の縦線を１画素分の間隔を開けて配列すると共に、複数の横線を１主走査ライン分の間隔を開けて配列してなる格子パターンが形成される。
【００２１】
また、本発明においては、パターン生成手段は、各画素毎に、画素カウンタ及びラインカウンタによって計数された画素計数値及びライン計数値から予め設定されたそれぞれの桁の値を選択して、これらの桁の値の論理積を求め、この論理積をパターンを形成する画素の値として出力する。
【００２２】
例えば、各画素毎に、画素計数値及びライン計数値から最下位の桁のそれぞれの値（０又は１の２値を示す）を選択して、これらの論理積を画素の値として求めると、１画素分の間隔を開けると共に、１主走査ライン分の間隔を開けて、複数の点を配列してなる網点パターンが形成される。
【００２３】
更に、本発明においては、予め設定されたルックアップテーブルを有しており、パターン生成手段からパターンを入力すると、ルックアップテーブルに基づいて該パターンを変換して出力するパターン変換手段を更に備えている。
【００２４】
また、本発明においては、パターン生成手段からパターンを入力すると、このパターンに対して予め定められた画像処理を施して出力する処理手段を更に備えている。
【００２５】
この様なパターン変換手段あるいは処理手段を付加することにより、生成されるパターンが多様化される。
【００２６】
更に、本発明においては、パターン生成手段によって参照されるパターン生成規則を変更する変更手段を更に備えている。
【００２７】
これにより、パターンをユーザ側で変更することが可能になる。
【００２８】
また、本発明においては、原稿画像を読み取って、画像を出力する原稿読み取り手段と、パターン生成手段から出力されたパターン及び原稿読み取り手段から出力された画像を合成する合成手段とを更に備えている。
【００２９】
この場合、例えばパターンを背景として原稿画像に合成することができる。
【００３０】
更に、本発明においては、原稿読み取り手段から出力された画像における任意の領域を指定する指定手段を更に備え、合成手段は、指定手段によって指定された領域にパターン生成手段から出力されたパターンを合成している。
【００３１】
この場合、例えば原稿画像に対して下線や枠線等を合成することができる。
【００３２】
一方、本発明の画像処理装置は、主走査に伴い、主走査ライン上に並ぶ各画素を順次計数する画素カウンタと、画素カウンタによって計数された画素計数値に応じてパターンを生成するためのパターン生成規則を記憶する記憶手段と、画素カウンタによって計数された画素計数値と記憶手段内のパターン生成規則により、パターンを生成して出力するパターン生成手段とを備えている。
【００３３】
また、本発明の画像処理装置は、副走査に伴い、副走査方向に並ぶ各主走査ラインを順次計数するラインカウンタと、ラインカウンタによって計数された計数値に応じてパターンを生成するためのパターン生成規則を記憶する記憶手段と、ラインカウンタによって計数された計数値と記憶手段内のパターン生成規則により、パターンを生成して出力するパターン生成手段とを備えている。
【００３４】
すなわち、本発明は、画素カウンタ及びラインカウンタによって計数された画素計数値及びライン計数値のいずれか一方と記憶手段内のパターン生成規則により、パターンを生成することが可能である。例えば、縦線パターンや横線パターンを生成することができる。
【００３５】
【発明の実施の形態】
以下、本発明の実施形態を添付図面を参照して詳細に説明する。
【００３６】
図１は、本発明の画像処理装置の第１実施形態を適用したディジタル複写機の機構を概略的に示している。図１に示す様に、このディジタル複写機３０は、スキャナ部３１とレーザー記録部３２から構成されている。
【００３７】
スキャナ部３１は、透明ガラスからなる原稿載置台３５、原稿を原稿載置台３５へと自動的に搬送するための両面対応自動原稿送り装置（ＲＡＤＦ）３６、及び原稿載置台３５上の原稿の画像を走査して読み取るためのスキャナユニット４０を備えている。
【００３８】
両面対応自動原稿送り装置３６は、図示しない原稿トレイ上に複数枚の原稿を置くと、これらの原稿を１枚ずつ自動的に引き出して原稿載置台３５へと搬送する。また、この両面対応自動原稿送り装置３６は、いずれも図示していないが、２つの搬送経路を選択的に切り替える搬送経路切替え手段、これらの搬送経路を通過する原稿を検出するセンサー群、この装置３６を制御する制御部等を備えている。２つの搬送経路は、オペレータによって選択され、一方が原稿の片面のみを読み取るときに選択され、他方が原稿の両面を読み取るときに選択される。
【００３９】
スキャナユニット４０は、第１走査ユニット４０ａ、第２走査ユニット４０ｂ、光学レンズ４３及びＣＣＤ４４を備えている。第１走査ユニット４０ａは、原稿載置台３５上の原稿面を露光するランプリフレクターアッセンブリ４１と、原稿からの反射光を反射する第１ミラー４２ａとを含む。第２走査ユニット４０ｂは、第１ミラー４２ａからの反射光を更に反射する第２及び第３ミラー４２ｂ，４２ｃを含む。光学レンズ４３は、第１、第２及び第３ミラー４２ａ，４２ｂ，４２ｃによって反射された反射光を集光して、光像（原稿画像）をＣＣＤ４４の受光面に形成する。ＣＣＤ４４は、この光像を読み取って、原稿画像を示す画像信号を出力する。
【００４０】
スキャナユニット４０と両面対応自動原稿送り装置３６は、相互に関連して動作している。これにより、原稿載置台３５に原稿が載置される度に、この原稿載置台３５の下面に沿ってスキャナユニット４０が移動され、この原稿の画像が読み取られる。
【００４１】
第１走査ユニット４０ａは、原稿載置台３５に沿って、図面上左から右へと一定速度Ｖで移動し、また第２走査ユニット４０ｂは、速度１／２Ｖで同一方向に移動する。これに伴い、ＣＣＤ４４による各主走査ラインの読み取りが繰り返され、ＣＣＤ４４からは原稿画像を示す画像信号が順次出力される。
【００４２】
この画像信号は、Ａ／Ｄ変換されてから、画像データとして後述する画像処理部へと送られ、各種の処理を施されてからメモリに一旦記憶される。そして、画像データがメモリから適宜に読み出されてレーザプリンター部３２に与えられる。レーザプリンター部３２は、この画像データによって示される画像を記録用紙に記録する。
【００４３】
このレーザープリンター部３２は、記録用紙を搬送する搬送機構５０、レーザー書き込みユニット４６、及び電子写真プロセス部４８を備えている。
【００４４】
レーザー書き込みユニット４６は、いずれも図示していないが、レーザー光を出射する半導体レーザ光源、このレーザー光を等角速度で偏向するポリゴンミラー、及びこの偏向れたレーザー光が電子写真プロセス部４８の感光体ドラム４８１上で等角速度で偏向する様に補正するｆ−θレンズ等を備えている。このレーザー書き込みユニット４６では、メモリから読み出された画像データ、又は外部装置から転送されてきた画像データを受け取り、この画像データに応じて半導体レーザ光源から出射されるレーザー光の強度を制御する。
【００４５】
電子写真プロセス部４８は、静電潜像を形成する感光体ドラム４８１、感光体ドラム４８１を一様に帯電させる帯電器４８２、感光体ドラム４８１の静電潜像にトナーを付着させる現像器４８３、感光体ドラム４８１のトナー像を記録用紙に転写する転写器４８４、感光体ドラム４８１から記録用紙を剥離する剥離器、感光体ドラム４８１の残留トナーを除去するクリーニング器４８６、及び感光体ドラム４８１を除電する除電器等を備えている。
【００４６】
記録用紙を搬送する搬送機構５０は、記録用紙を収納する各カセット給紙装置５１，５２，５３、手差しされた記録用紙を供給する手差し供給装置５４、各カセット給紙装置５１，５２，５３及び手差し供給装置５４のいずれかからの記録用紙を電子写真プロセス部４８の転写器へと導く搬送部５６、電子写真プロセス部４８によって記録用紙Ｐに転写されたトナー像を定着させる定着器４９、及び記録用紙Ｐの裏面にも画像を記録するときに、記録用紙Ｐを電子写真プロセス部４８に再度導く再供給部５５を備えている。
【００４７】
更に、定着器４９の下流側には、画像が記録された記録用紙Ｐを受け取り、この記録用紙Ｐを処理するフィニッシャー３４が配置されている。
【００４８】
ここで、レーザー書き込みユニット４６は、メモリから読み出された画像データを与えられ、この画像データに応じてレーザー光の強度を制御しつつ、このレーザー光によって電子写真プロセス部４８の感光体ドラム４８１を繰り返し主走査する。これによって感光体ドラム４８１に静電潜像が形成され、この静電潜像が現像されてトナー像となり、このトナー像が記録用紙Ｐに転写されて、記録用紙Ｐ上のトナー像が定着される。そして、この記録用紙Ｐは、定着器４９から排紙ローラ５７を経由してフィニッシャー３４へと搬送される。
【００４９】
図２は、ディジタル複写機３０の構成を示すブロック図である。このディジタル複写機３０では、メイン画像処理ボード４００にメイン中央処理装置（メインＣＰＵ）４０１を搭載し、他の各ユニットにそれぞれのサブ中央処理装置（サブＣＰＵ）を搭載している。
【００５０】
このデジタル複写機３０は、操作パネル１０３を管理制御するオペレーションパネルボード１００と、各ユニットを管理制御するマシンコントロールボード２００と、原稿画像を読み取るＣＣＤ４４を搭載したＣＣＤボード３００と、ＣＣＤ４４からの画像データに対して画像処理を施すメイン画像処理ボード４００と、このメイン画像処理ボード４００による画像処理の後で、更に画像データに対して画像処理を施すサブ画像処理ボード５００と、サブ画像処理ボード５００にインターフェースを介して接続されたプリンタボード６０１、ＦＡＸボード６０３、及び機能拡張ボード６０２等の拡張ボード群６００とから構成されている。
【００５１】
オペレーションパネルボード１００は、サブＣＰＵ１０１によって基本的に制御されており、操作パネル１０３上に配置されたＬＣＤ表示部１０４を制御したり、操作キー群１０５からの指示入力を管理している。メモリ１０２には、ＬＣＤ表示部１０４に表示される各種の情報や、操作キー群１０５から入力された指示等が記憶される。
【００５２】
サブＣＰＵ１０１は、メインＣＰＵ４０１との間で制御データを送受し、このディジタル複写機３０の動作を指示する。また、サブＣＰＵ１０１は、メインＣＰＵ４０１からディジタル複写機３０の動作状態を示す制御データを受け取り、この動作状態をＬＣＤ表示部１０４に表示して操作者に知らせる。
【００５３】
マシンコントロールボード２００は、サブＣＰＵ２０１によって基本的に制御されており、原稿を搬送する自動原稿送り装置３６、原稿の画像を読み取るスキャナユニット４０、画像を記録用紙に記録する電子写真プロセス部４８、記録用紙を電子写真プロセス部４８へと供給する搬送機構５０、画像が記録された記録用紙の表裏を反転させて、この記録用紙を電子写真プロセス部４８に再度導く再供給部５５、及び画像が記録された記録用紙に対してステープル等の後処理を行うフィニッシャー３４等を管理している。
【００５４】
ＣＣＤボード３００は、原稿を読み取るＣＣＤ４４、ＣＣＤ４４を駆動するＣＣＤゲートアレイ３０２、ＣＣＤ４４から出力されたアナログの画像信号のゲインを調整するアナログ回路３０３、及びこのアナログの画像信号をデジタルの画像信号に変換し、この画像信号を画像データとして出力するＡ／Ｄ変換器３０４等から構成されている。このＣＣＤボード３００の制御は、メインＣＰＵ４０１によって行なわれる。
【００５５】
メイン画像処理ボード４００は、メインＣＰＵ４０１によって制御されており、ＣＣＤボード３００からの多値の画像データに対してシェーディング補正、濃度補正、領域分離、フィルタ処理、ＭＴＦ補正、解像度変換、電子ズーム（変倍処理）、ガンマ補正等の処理を施す多値画像処理部４０２、この処理された画像データや各種の制御情報等を記憶するメモリ４０３、及びこの処理された画像データをレーザ書き込みユニット４６へ転送するレーザーコントローラ４０４を備えている。
【００５６】
メイン画像処理ボード４００は、ＣＰＵ４０１からのページ同期信号を検出するページ同期信号検出部４１１と、水平同期信号を計数するラインカウンタ４１２と、レーザ書き込みユニット４６からの水平同期信号を検出する水平同期信号検出部４１３と、画素クロック信号を計数する画素カウンタ４１４と、予め設定されたパターン生成規則を記憶するレジスタ４１５と、パターンを示す画像データを生成して出力したり、多値画像処理部４０２からの画像データを出力する自己印字制御回路４１６を備えている。
【００５７】
サブ画像処理ボード５００は、メイン画像処理ボード４００と接続され、メインＣＰＵ４０１により制御されており、２値画像処理部５０１、２値画像データや各種の制御情報等を記憶するためのメモリ５０２並びにメモリゲートアレイ５０２ａ、複数枚の原稿の画像を記憶するためのハードディスク５０３並びにハードディスクゲートアレイ５０３ａ、及び外部インターフェイスであるＳＣＳＩ５０４並びにＳＣＳＩゲートアレイ５０４ａから構成されている。また、２値画像処理部５０１は、多値の画像データを２値の画像データに変換する変換処理部、画像を回転させる回転処理部、及び２値画像の変倍処理を行う変倍処理部等から構成され、更にはファクシミリ画像を送受するためのファックスインターフェイスも備えている。
【００５８】
さて、この様な構成のディジタル複写装置３０においては、複写に際し、画像データが次の様な手順で処理される。
【００５９】
まず、自動原稿送り装置３６によって原稿が原稿載置台３５に搬送されると、スキャナユニット４０は、この原稿の画像を読み取り、この画像を示す多値の画像データとして、各画素毎に、８ビットのデータをメイン画像処理ボード４００へと転送する。
【００６０】
メイン画像処理ボード４００において、この多値の画像データは、多値画像処理部４０２に入力されて、ここで各種の処理を施されてから、レーザコントロールユニット４０４を介してレーザ書き込みユニット４６へと送られる。
【００６１】
レーザ書き込みユニット４６は、多値の画像データを受け取って、この画像データに応じてレーザー光の強度を制御しつつ、このレーザー光によって電子写真プロセス部４８の感光体ドラム４８１を繰り返し主走査する。これによって感光体ドラム４８１上にトナー像が形成され、このトナー像が記録用紙Ｐに転写されて定着される。
【００６２】
こうして記録用紙Ｐに記録された画像は、階調性を有する。
【００６３】
また、多値の画像データを２値の画像に一旦変換してから、画像を記録用紙Ｐに記録する場合は、メイン画像処理ボード４００において、多値の画像データを多値画像処理部４０２により処理してから、この処理された多値の画像データをサブ画像処理ボード５００に転送する。
【００６４】
サブ画像処理ボード５００において、この多値の画像データは、２値画像処理部５０１に入力され、ここで誤差拡散等の処理と共に２値の画像データに変換される。この２値の画像データは、各画素毎に、２ビットのデータを形成したものである。
【００６５】
こうして得られた２値の画像データは、各原稿毎に、ハードディスク等のディスクメモリ５０３に記憶されて管理される。
【００６６】
尚、多値の画像データを多値画像処理部４０２により処理してから、この多値の画像データを２値の画像データに変換しているのは、多値の画像データを処理せずに、この多値の画像データを２値の画像データに直ちに変換すると、画質が大きく劣化するためである。これに対して、多値の画像データを処理してから２値の画像データに変換すると、画質の劣化が小さくて済む。
【００６７】
また、多値の画像データ（８ビットのデータ）を２値の画像データ（２ビットのデータ）に変換するのは、画像を記憶するメモリの記憶容量を小さく抑えるためである。
【００６８】
この後、２ビットの画像データは、ディスクメモリ５０３から読み出されて、メイン画像処理ボード４００の多値画像処理部４０２に転送され、ここでガンマ補正等の処理を施されてから、レーザーコントローラ部４０４を介してレーザー書き込みユニット４６へと転送される。そして、レーザ書き込みユニット４６は、２値の画像データに応じてレーザー光の強度を制御しつつ、このレーザー光によって感光体ドラム４８１を繰り返し主走査する。これによって感光体ドラム４８１上にトナー像が形成され、このトナー像が記録用紙Ｐに転写されて定着される。
【００６９】
こうして記録用紙Ｐに記録された画像は、階調性を有する。
【００７０】
尚、２値の画像データをディスクメモリ５０３に記憶しているので、繰り返し読み出して、同じ画像を複数の記録用紙Ｐに記録することができる。また、複数の画像を示すそれぞれの画像データをディスクメモリ５０３に記憶しておき、これらの画像を複数の記録用紙Ｐに記録したり、これらの画像の記録を繰り返すことも可能である。
【００７１】
また、同じ画像を繰り返して記録する場合は、２値の画像データを形成すると同時に、この２値の画像データをディスクメモリ５０８に記憶すると共に、この２値の画像データをレーザー書き込みユニット４６へと転送しても構わない。
【００７２】
図３は、ディジタル複写機３０に適用された第１実施形態の画像処理装置を示すブロック図である。図３においては、説明を簡略化するために、この画像処理装置１１を図２のディジタル複写機３０から抽出して示している。
【００７３】
第１実施形態の画像処理装置１１は、図１７の従来の装置と比較すると、パターンを記憶するためのＲＯＭを持たず、この代わりに、パターン生成規則を記憶するレジスタ４１５と、自己印字制御回路４１６とを備えている。自己印字制御回路４１６は、ラインカウンタ４１２によって計数されたライン計数値及び画素カウンタ４１４によって計数された画素計数値とレジスタ４１５内のパターン生成規則とにより、予め設定されたパターンを生成して出力したり、多値画像処理部４０２からの画像データを出力する。
【００７４】
いま、操作パネル１０３を操作することにより、予め設定されたパターンの記録を指示すると、これに応答してＣＰＵ４０１は、このパターンを生成するためのパターン生成規則をレジスタ４１５に書き込む。
【００７５】
このとき、ＣＰＵ４０１は、図４に示す様なページ同期信号Ｐａを生成し、このページ同期信号をページ同期信号検出部４１１に出力する。ページ同期信号検出部４１１は、このページ同期信号Ｐａに応答して、ページの開始時点でラインカウンタ４１２をリセットする。ラインカウンタ４１２は、このページの期間に、レーザ書き込みユニット４６からの水平同期信号Ｓｙを入力し、この水平同期信号Ｓｙを計数する。この水平同期信号Ｓｙは、各主走査ラインの同期タイミングを示しているので、ラインカウンタ４１２によって各主走査ラインの数が計数されることになる。また、水平同期信号検出部４１３は、図５に示す様なレーザ書き込みユニット４６からの水平同期信号Ｓｙに応答して、主走査の開示時点で画素カウンタ４１４をリセットする。画素カウンタ４１４は、主走査の期間に、装置内部で生成されている画素クロック信号Ｃlkを計数する。この画素クロック信号Ｃlkは、各画素の同期タイミングを示しているので、画素カウンタ４１４によって各画素の数が計数されることになる。
【００７６】
図６に示す様に記録用紙Ｐが繰り返して主走査されつつ、この記録用紙Ｐが副走査される。この記録用紙Ｐの走査開始のときに、ラインカウンタ４１２がリセットされて、ラインカウンタ４１２により各主走査ラインが順次計数され、かつ各主走査毎に、画素カウンタ４１４がリセットされて、画素カウンタ４１４により主走査ライン上の各画素が順次計数される。従って、ラインカウンタ４１２によって計数されたライン計数値及び画素カウンタ４１４によって計数された画素計数値に基づいて、記録用紙Ｐ上の記録領域Ｐ1 や余白領域Ｐ2 、あるいは任意の領域を特定することができる。
【００７７】
ここで、レジスタ４１５内のパターン生成規則は、各縦線を等間隔で配列してなるパターン、又は階調が横方向に徐々に変化する（横方向のグラデーション）パターンを生成するための規則である。このパターン生成規則によって、自己印字制御回路４１６における各セレクタＡ，Ｃ，Ｅ，Ｆ及び分配器ＡＶの動作が設定される。
【００７８】
例えば、セレクタＡは、画素カウンタ４１４から画素計数値を示す１６ビットのデータを入力し、このデータの下位の８ビットを選択し、この下位の８ビットをセレクタＣに与える。セレクタＣは、この下位の８ビットから最下位の１ビットを選択して、この最下位の１ビットを分配器ＡＶに与える。この分配器ＡＶに与えられた最下位の１ビットは、画素クロック信号に応答して、「０」と「１」を交互に繰り返す。
【００７９】
分配器ＡＶは、このビットが「０」のときに、「０」を示す８ビットのデータをセレクタＥに出力し、このビットが「１」のときに、「２５５」を示す８ビットのデータをセレクタＥに出力する。セレクタＥは、各分配器ＡＶ，ＢＶのいずれかを選択しており、分配器ＡＶを選択したときに、この分配器ＡＶからの８ビットのデータをセレクタＦに与える。
【００８０】
セレクタＦは、多値画像処理部４０２及びセレクタＥのいずれかを選択しており、セレクタＥを選択したときに、このセレクタＥからの８ビットのデータをレーザ書き込みユニット４６に与える。
【００８１】
図７（ａ）は各画素と各主走査ラインの配列を概略的に示し、図７（ｂ）はセレクタＡによって選択された下位８ビットの値の変化を示し、図７（ｃ）はセレクタＣによって選択された最下位１ビットの値の変化を示し、図７（ｄ）は分配器ＡＶから出力される８ビットのデータの値の変化を示している。図７（ｄ）から明らかな様に、分配器ＡＶからの８ビットのデータは、各縦線を１画素の間隔を開けて配列してなるパターンを示している。従って、この分配器ＡＶからの８ビットのデータをレーザ書き込みユニット４６に与えているときには、この縦線パターンが記録用紙Ｐに記録される。
【００８２】
また、例えばセレクタＣによって最下位から２ビット目を選択した場合、この選択されたビットは、連続する２画素のときに「０」を示し、次に連続する２画素のときに「１」を示し、これを繰り返す。これに応答して分配器ＡＶは、連続する２画素のときに、「０」を示す８ビットのデータを出力し、次に連続する２画素のときに、「２５５」を示す８ビットのデータを出力する。この様な８ビットのデータがセレクタＥ，Ｆを介してレーザ書き込みユニット４６に与えられると、２画素の幅の縦線を２画素の間隔を開けて配列してなる縦線パターンが記録用紙Ｐに記録される。従って、セレクタＣによって何番目のビットを選択するかにより、種々の縦線パターンを生成することができる。
【００８３】
更に、例えばセレクタＡによって選択された下位８ビットのデータを、セレクタＣ及び分配器ＡＶで処理せずに、各セレクタＥ，Ｆを介してレーザ書き込みユニット４６に与えた場合、この下位の８ビットのデータは、図７（ｂ）に示す様なものであるため、横方向のグラデーションのパターンが記録用紙Ｐに記録される。また、例えばセレクタＡによって上位８ビットを選択すると、２５６画素毎に、階調が変化するグラデーションパターンが記録用紙Ｐに記録される。従って、セレクタＡによっていずれのビットを選択するかにより、種々のグラデーションパターンを生成することができる。
【００８４】
一方、レジスタ４１５内のパターン生成規則として、各横線を等間隔で配列してなるパターン、又は階調が縦方向に徐々に変化する（縦方向のグラデーション）パターンを生成するための規則を設定することができる。このパターン生成規則によって、自己印字制御回路４１６における各セレクタＢ，Ｄ，Ｅ，Ｆ及び分配器ＢＶの動作が設定される。
【００８５】
例えば、セレクタＢは、ラインカウンタ４１２からライン計数値を示す１６ビットのデータを入力し、このデータの下位の８ビットを選択してセレクタＤに与える。セレクタＤは、この下位の８ビットから最下位の１ビットを選択して分配器ＢＶに与える。この最下位の１ビットは、ライン同期信号に応答して、「０」と「１」を交互に繰り返す。
【００８６】
分配器ＢＶは、このビットが「０」のときに、「０」を示す８ビットのデータを出力し、このビットが「１」のときに、「２５５」を示す８ビットのデータを出力する。この８ビットのデータは、各セレクタＥ，Ｆを介してレーザ書き込みユニット４６に与えられる。
【００８７】
図８（ａ）は各画素と各主走査ラインの配列を概略的に示し、図８（ｂ）はセレクタＢによって選択された下位８ビットの値の変化を示し、図８（ｃ）はセレクタＤによって選択された最下位１ビットの値の変化を示し、図８（ｄ）は分配器ＢＶから出力される８ビットのデータの値の変化を示している。ここでは、分配器ＢＶからの８ビットのデータは、各横線を１画素の間隔を開けて配列してなる横線パターンを示している。従って、この分配器ＢＶからの８ビットのデータをレーザ書き込みユニット４６に与えているときには、この横線パターンが記録用紙Ｐに記録される。
【００８８】
また、例えばセレクタＤによって最下位から２ビット目を選択すると、この選択されたビットは、連続する２主走査ラインのときに「０」を示し、次に連続する２主走査ラインのときに「１」を示し、これを繰り返す。これに応答して分配器ＢＶは、連続する２主走査ラインのときに、「０」を示す８ビットのデータを出力し、次に連続する２主走査ラインのときに、「２５５」を示す８ビットのデータを出力する。この様な８ビットのデータがレーザ書き込みユニット４６に与えられると、２主走査ラインの幅の横線を２主走査ラインの間隔を開けて配列してなる横線パターンが記録用紙Ｐに記録される。従って、セレクタＤによって何番目のビットを選択するかにより、種々の横線パターンを生成することができる。
【００８９】
更に、例えばセレクタＢによって選択された下位８ビットのデータを、セレクタＤ及び分配器ＢＶで処理せずに、各セレクタＥ，Ｆを介してレーザ書き込みユニット４６に与えた場合、この下位の８ビットのデータは、図８（ｂ）に示す様なものであるため、縦方向のグラデーションのパターンが記録用紙Ｐに記録される。また、例えばセレクタＢによって上位８ビットを選択すると、２５６画素毎に、階調が変化するグラデーションパターンが記録用紙Ｐに記録される。従って、セレクタＢによっていずれのビットを選択するかにより、種々のグラデーションパターンを生成することができる。
【００９０】
この様に各セレクタＡ，Ｃ及び分配器ＡＶによって縦線パターンや横方向のグラデーションパターンを形成することができ、また各セレクタＢ，Ｄ及び分配器ＢＶによって横線パターンや縦方向のグラデーションパターンを形成することができる。また、セレクタＥによって、各分配器ＡＶ，ＢＶの一方からのパターンを選択することができ、この選択を適宜に行えば、枠線を記録することも可能である。
【００９１】
更に、セレクタＦは、多値画像処理部４０２及びセレクタＥのいずれかを選択することができる。セレクタＦにおいては、画素カウンタ４１４の画素計数値及びラインカウンタ４１２のライン計数値に基づいて、記録用紙Ｐの所定の領域を判定し、この所定の領域にパターンを記録したり、他の領域に多値画像処理部４０２からの画像を記録することができる。あるいは、セレクタＦにおいて、各分配器ＡＶ，ＢＶの一方からのパターンと多値画像処理部４０２からの画像の論理和を求め、パターンと画像を組み合わせて記録することも可能である。例えば、文字列を記録して、この文字列に下線や罫線を引いたり、文字列の背景としてパターンを合成することができる。
【００９２】
また、操作パネル１０３を操作することにより、レジスタ４１５内に記憶されるパターン生成規則を変更しても構わない。つまり、各セレクタＡ，Ｂ，Ｃ，Ｄによって選択されるビットを変更したり、各分配器ＡＶ，ＢＶによって設定される画素濃度を変更したり、セレクタＥによる各分配器ＡＶ，ＢＶの選択タイミングを変更したり、セレクタＦによって判定されるパターンの記録領域を変更しても構わない。これにより、ユーザのニーズに合わせて、パターンやその記録領域を設定することが可能になる。
【００９３】
尚、セレクタＦからのパターンや画像をレーザー書き込みユニット４６に与える代わりに、これらをメモリ４０３（図２に示す）に一旦記憶しても構わない。
【００９４】
図９は、第２実施形態の画像処理装置における自己印字制御回路を示している。この第２実施形態の画像処理装置は、図３の画像処理装置１１と同様にディジタル複写機３０に適用されるものであって、図３の自己印字制御回路４１６の代わりに、図９に示す自己印字制御回路４２１を備えている。
【００９５】
第２実施形態の画像処理装置においても、操作パネル１０３の操作に応答して、ＣＰＵ４０１がパターン生成規則をレジスタ４１５に書き込む。このパターン生成規則は、各斜線を等間隔で配列してなるパターン、又は階調が斜めに徐々に変化する（斜めのグラデーション）パターンを生成するための規則である。
【００９６】
まず、セレクタＧは、画素カウンタ４１４から画素計数値を示す１６ビットのデータを入力し、このデータの下位の８ビットを選択し、この下位の８ビットを加減算回路４２２に与える。また、セレクタＨは、ラインカウンタ４１２からライン計数値を示す１６ビットのデータを入力し、このデータの下位の８ビットを選択して加減算回路４２２に与える。
【００９７】
加減算回路４２２は、画素計数値のデータの下位の８ビットによって示される値からライン計数値のデータの下位の８ビットによって示される値を差し引き、この差を示す８ビットのデータをセレクタＩに与える。セレクタＩは、この８ビットのうちの最下位から２番目のビットを選択して、このビットを分配器ＣＶに与える。
【００９８】
分配器ＣＶは、このビットが「０」のときに、「０」を示す８ビットのデータをセレクタＪに出力し、このビットが「１」のときに、「２５５」を示す８ビットのデータをセレクタＪに出力する。セレクタＪは、多値画像処理部４０２及びセレクタＪのいずれかを選択しており、セレクタＪを選択したときに、このセレクタＪからの８ビットのデータをレーザ書き込みユニット４６に与える。
【００９９】
図１０（ａ）は各画素と各主走査ラインの配列を概略的に示し、図１０（ｂ）は加減算回路４２２から出力される８ビットの値の変化を示し、図１０（ｃ）はセレクタＩによって選択された最下位から２番目のビットの値の変化を示し、図１０（ｄ）は分配器ＣＶから出力される８ビットのデータの値の変化を示している。図１０（ｄ）から明らかな様に、分配器ＣＶからの８ビットのデータは、右側で低くなる各斜線を等間隔で配列してなるパターンを示している。セレクタＩによって最下位から２番目のビットを選択したことから、各斜線の幅及び間隔が２画素となっている。従って、この分配器ＣＶからの８ビットのデータをレーザ書き込みユニット４６に与えているときには、この斜線パターンが記録用紙Ｐに記録される。
【０１００】
尚、ここでも、セレクタＩによって何番目のビットを選択するかにより、種々の斜線を生成することができる。
【０１０１】
また、例えば加減算回路４２２から出力された８ビットのデータを、セレクタＩ及び分配器ＣＶで処理せずに、セレクタＪを介してレーザ書き込みユニット４６に与えた場合、この８ヒットのデータは、図１０（ｂ）に示す様なものであるため、右側で低くなる斜めグラデーションパターンが記録用紙Ｐに記録される。
【０１０２】
尚、セレクタＧによっていずれのビットを選択するかにより、種々のグラデーションを生成することができる。
【０１０３】
更に、加減算回路４２２によって、差を求める代わりに、画素計数値のデータの下位の８ビットによって示される値とライン計数値のデータの下位の８ビットによって示される値を加算し、この和を示す８ビットのデータをセレクタＩに与えた場合は、左側で低くなる斜線パターンや斜めグラデーションパターンが生成される。
【０１０４】
この様に各セレクタＧ，Ｈ，Ｉ、加算減算回路４２２及び分配器ＣＶによって斜線パターンや斜めのグラデーションパターンを形成することができる。
【０１０５】
更に、セレクタＪは、多値画像処理部４０２及びセレクタＪのいずれかを選択することができ、所定の領域にパターンを記録したり、他の領域に多値画像処理部４０２からの画像を記録することができる。
【０１０６】
尚、セレクタＪからのパターンや画像をレーザー書き込みユニット４６に与える代わりに、これらをメモリ４０３（図２に示す）に一旦記憶しても構わない。
【０１０７】
図１１は、第３実施形態の画像処理装置における自己印字制御回路を示している。この第３実施形態の画像処理装置は、図３の画像処理装置１１と同様にディジタル複写機３０に適用されるものであって、図３の自己印字制御回路４１６の代わりに、図１１に示す自己印字制御回路４３１を備えている。
【０１０８】
第３実施形態の画像処理装置においても、操作パネル１０３の操作に応答して、ＣＰＵ４０１がパターン生成規則をレジスタ４１５に書き込む。このパターン生成規則は、格子パターン又は網点パターンを生成するための規則である。
【０１０９】
まず、セレクタＫは、画素カウンタ４１４から画素計数値を示す１６ビットのデータを入力し、このデータの最下位から３ビット目を選択し、このビットを論理回路４３２に与える。また、セレクタＬは、ラインカウンタ４１２からライン計数値を示す１６ビットのデータを入力し、このデータの最下位から３ビット目を選択して論理回路４３２に与える。
【０１１０】
論理回路４３２は、セレクタＫからのビットの値とセレクタＬからのビットの値との論理和を求め、この論理和を示すビットを分配器ＤＶに与える。
【０１１１】
分配器ＤＶは、このビットが「０」のときに、「０」を示す８ビットのデータをセレクタＭに出力し、このビットが「１」のときに、「２５５」を示す８ビットのデータをセレクタＭに出力する。セレクタＭは、多値画像処理部４０２及び分配器ＤＶのいずれかを選択しており、分配器ＤＶを選択したときに、この分配器ＤＶからの８ビットのデータをレーザ書き込みユニット４６に与える。
【０１１２】
図１２（ａ）は各画素と各主走査ラインの配列を概略的に示し、図１２（ｂ）は各セレクタＫ，Ｌから出力される各ビットの値の変化を示し、図１２（ｃ）は論理回路４３２によって求められた論理和の変化を示し、図１２（ｄ）は分配器ＤＶから出力される８ビットのデータの値の変化を示している。図１２（ｄ）から明らかな様に、分配器ＤＶからの８ビットのデータは、格子パターンを示している。セレクタＫによって最下位から３番目のビットを選択したことから、この格子パターンの各縦線の幅及び間隔が３画素となり、同様にセレクタＬによって最下位から３番目のビットを選択したことから、各横線の幅及び間隔が３画素となっている。
【０１１３】
尚、各セレクタＫ，Ｌによってそれぞれ何番目のビットを選択するかにより、種々の格子パターンを生成することができる。
【０１１４】
また、例えば、各セレクタＫ，Ｌによって最下位から２番目のビットを選択すると、各セレクタＫ，Ｌから出力される各ビットの値の変化が図１３（ｂ）に示す様なものとなる。そして、論理回路４３２によって、論理和を求める代わりに、セレクタＫからのビットの値とセレクタＬからのビットの値との論理積を求めると、この論理積の変化が図１３（ｃ）に示す様なものとなり、分配器ＤＶから出力される値の変化が図１３（ｄ）に示す様なものとなる。図１３（ｄ）から明らかな様に、分配器ＤＶから出力された値は、網点パターンを示している。セレクタＫによって最下位から２番目のビットを選択したことから、この網点パターンの各点の横幅及び横の間隔が２画素となり、同様にセレクタＬによって最下位から２番目のビットを選択したことから、各点の縦幅及び縦の間隔が２画素となっている。
【０１１５】
この様に論理回路４３２によって論理和及び論理積のいずれを求めるかにより、格子パターンを生成したり、網点パターンを生成することができる。
【０１１６】
更に、セレクタＭは、多値画像処理部４０２及び分配器ＤＶのいずれかを選択することができ、所定の領域にパターンを記録したり、他の領域に多値画像処理部４０２からの画像を記録することができる。
【０１１７】
尚、分配器ＤＶからのパターンや画像をレーザー書き込みユニット４６に与える代わりに、これらをメモリ４０３（図２に示す）に一旦記憶しても構わない。
【０１１８】
図１４は、第４実施形態の画像処理装置を示している。この第４実施形態の画像処理装置１４は、図３の画像処理装置１１と同様にディジタル複写機３０に適用されるものである。
【０１１９】
この画像処理装置１４の自己印字制御回路４４１は、図３の自己印字制御回路４１６、図９の自己印字制御回路４２１、及び図１１の自己印字制御回路４３１と同様にパターンを生成するが、このパターンをレーザー書き込みユニット４６やメモリ４０３に直接与えることはなく、このパターンを多値画像処理部４０２に与えている。
【０１２０】
多値画像処理部４０２は、パターンに対するフィルタ処理、変倍処理、誤差拡散処理等を施し、この処理されたパターンをレーザー書き込みユニット４６やメモリ４０３に与える。
【０１２１】
例えば、自己印字制御回路４４１によって、各縦線の幅及び間隔が１０画素、各横線の幅及び間隔が１０画素の格子パターンを生成し、多値画像処理部４０２によって、この格子パターンを１０倍に拡大し、レーザ書き込みユニット４６によって、この拡大された格子パターンを記録用紙Ｐに記録する。そして、記録用紙Ｐ上の格子パターの大きさを測定することにより、多値画像処理部４０２内の拡大を施す回路が正常に動作するか否かを検査する。
【０１２２】
同様に、自己印字制御回路４４１によってパターンを生成し、多値画像処理部４０２によって、パターンにフィルタ処理、又は誤差拡散処理を施してから、このパターンを記録用紙Ｐに記録し、この記録用紙Ｐ上のパターンを測定することにより、多値画像処理部４０２内のそれぞれの処理を行う回路が正常に動作するか否かを検査する。
【０１２３】
こうして自己印字制御回路４２１によって生成されたパターンを多値画像処理部４０２内の種々の回路に入力して処理し、これらの処理されたパターンを記録用紙Ｐに記録して測定すれば、これらの回路が正常に動作するか否かを検査することができる。
【０１２４】
一方、多値画像処理部４０２は、パターンに対する濃度変換補正、ガンマ補正等を施し、この補正されたパターンをレーザー書き込みユニット４６やメモリ４０３に与える。
【０１２５】
例えば、自己印字制御回路４４１によって、図１５に示すパターン４５１を形成し、多値画像処理部４０２によって、このパターン４５１の濃度を図１５に示す濃度変換ルックアップテーブル４５２に従って変換し、図１５に示すパターン４５３を生成する。
【０１２６】
あるいは、自己印字制御回路４４１によって、図１６に示すパターン４６１を形成し、多値画像処理部４０２によって、このパターン４６１の濃度を図１６に示す濃度変換ルックアップテーブル４６２に従って変換し、図１６に示すパターン４６３を生成する。
【０１２７】
こうして自己印字制御回路４４１によってパターンを生成し、多値画像処理部４０２によって該パターンを処理すれば、多値画像処理部４０２の既存の機能を活用して、パターンを更に多様化することができる。
【０１２８】
この様に上記各実施形態では、図１７の従来の装置の様にパターンを記憶するためのＲＯＭを持たなくても、パターン生成規則を記憶するレジスタと自己印字制御回路とによって種々のパターンを生成することができる。
【０１２９】
尚、本発明は、上記各実施形態に限定されるものでなく、多様に変形することができる。例えば、自己印字制御回路における各セレクタ、分配回路、加算減算回路、論理回路等を適宜に増減して組み合わせ、これにより多種多様なパターンを生成しても構わない。また、本発明の画像処理装置は、ディジタル複写機だけでなく、他の種類の機器に組み込んだり、あるいは単独で用い、他の機器からのアクセスに応答して、パターンを生成して提供しても構わない。
【０１３０】
【発明の効果】
以上説明した様に本発明によれば、画素計数値及びライン計数値とパターン生成規則により、パターンが生成されて出力される。従って、パターンを記憶するメモリを必要としない。また、パターン生成規則を記憶する記憶手段を必要とするが、このパターン生成規則のデータ量が少ないので、記憶手段の記憶容量を小さく抑えることができる。更に、画素カウンタ及びラインカウンタは、主走査及び副走査を行う画像処理装置に当然備えられているので、これらのカウンタを格別に付設する必要がない。このため、極めて小さな回路規模で、パターンを生成することが可能となる。
【０１３１】
また、本発明によれば、パターン生成規則に従って、画素カウンタによって計数された画素計数値が一定の値幅増加する度に、パターンを形成する画素の選択と非選択を切り換えている。例えば２画素毎に、画素を選択する。この様な処理を各主走査ライン毎に繰り返せば、複数の縦線を１画素分の間隔を開けて配列してなるパターンが生成される。
【０１３２】
更に、本発明によれば、パターン生成規則に従って、ラインカウンタによって計数されたライン計数値が一定の値幅増加する度に、パターンを形成する主走査ラインの選択と非選択を切り換えている。例えば２主走査ライン毎に、主走査ラインを選択している。これによって、複数の横線を１主走査ライン分の間隔を開けて配列してなるパターンが生成される。
【０１３３】
また、本発明によれば、画素計数値及びライン計数値と、パターン生成規則と、演算処理とにより、パターンを生成して出力する。この演算処理を付加することにより、生成されるパターンが多様化される。
【０１３４】
更に、本発明によれば、各画素毎に、画素計数値及びライン計数値を加算もしくは減算し、この演算値をパターンを形成する画素の値として出力している。これにより、各主走査ラインの位置に応じて、主走査ライン上の各画素の値が規則的に変化し、この結果として斜めのパターンが生成される。
【０１３５】
また、本発明によれば、各画素毎に、画素計数値及びライン計数値から予め設定されたそれぞれの桁の値を選択して、これらの桁の値の論理和を求め、この論理和をパターンを形成する画素の値として出力する。例えば、各画素毎に、画素計数値及びライン計数値から最下位の桁のそれぞれの値（０又は１の２値を示す）を選択して、これらの論理和を画素の値として求めると、複数の縦線を１画素分の間隔を開けて配列すると共に、複数の横線を１主走査ライン分の間隔を開けて配列してなる格子パターンが形成される。
【０１３６】
また、本発明によれば、各画素毎に、画素計数値及びライン計数値から予め設定されたそれぞれの桁の値を選択して、これらの桁の値の論理積を求め、この論理積をパターンを形成する画素の値として出力する。例えば、各画素毎に、画素計数値及びライン計数値から最下位の桁のそれぞれの値（０又は１の２値を示す）を選択して、これらの論理積を画素の値として求めると、１画素分の間隔を開けると共に、１主走査ライン分の間隔を開けて、複数の点を配列してなる網点パターンが形成される。
【０１３７】
更に、本発明によれば、ルックアップテーブルを有しており、ルックアップテーブルに基づいてパターンを変換して出力する。あるいは、パターンに対して予め定められた画像処理を施して出力する。これによって、生成されるパターンが多様化される。
【０１３８】
更に、本発明によれば、パターン生成規則を変更することができ、  これによりパターンをユーザ側で変更することが可能になる。
【０１３９】
また、本発明によれば、パターン及び原稿画像を合成している。これにより、例えばパターンを背景として原稿画像に合成することができる。
【０１４０】
更に、本発明によれば、指定された領域にパターンを合成している。これにより、例えば原稿画像に対して下線や枠線等を合成することができる。
【図面の簡単な説明】
【図１】本発明の画像処理装置の第１実施形態を適用したディジタル複写機の機構を概略的に示す側面図である。
【図２】図１のディジタル複写機の構成を示すブロック図である。
【図３】第１実施形態の画像処理装置を示すブロック図である。
【図４】ページ同期信号、水平同期信号、ラインカウンタによる計数タイミングを示すタイミングチャートである。
【図５】水平同期信号、画素クロック信号、画素カウンタによる計数タイミングを示すタイミングチャートである。
【図６】記録用紙に対する主走査及び副走査を説明するために用いた図である。
【図７】（ａ）は各画素と各主走査ラインの配列を概略的に示し、（ｂ）は図３の画像処理装置における自己印字制御回路のセレクタＡによって選択された下位８ビットの値の変化を示し、（ｃ）は自己印字制御回路のセレクタＣによって選択された最下位１ビットの値の変化を示し、（ｄ）は自己印字制御回路の分配器から出力される８ビットのデータの値の変化を示している。
【図８】（ａ）は各画素と各主走査ラインの配列を概略的に示し、（ｂ）は図３の画像処理装置における自己印字制御回路のセレクタＢによって選択された下位８ビットの値の変化を示し、（ｃ）は自己印字制御回路のセレクタＤによって選択された最下位１ビットの値の変化を示し、（ｄ）は自己印字制御回路の分配器から出力される８ビットのデータの値の変化を示している。
【図９】第２実施形態の画像処理装置における自己印字制御回路を示すブロック図である。
【図１０】（ａ）は各画素と各主走査ラインの配列を概略的に示し、（ｂ）は図９の加減算回路から出力される８ビットの値の変化を示し、（ｃ）は図９のセレクタＩによって選択された最下位から２番目のビットの値の変化を示し、（ｄ）は図９の分配器から出力される８ビットのデータの値の変化を示している。
【図１１】第３実施形態の画像処理装置における自己印字制御回路を示すブロック図である。
【図１２】（ａ）は各画素と各主走査ラインの配列を概略的に示し、（ｂ）は図１１の各セレクタＫ，Ｌから出力される各ビットの値の変化を示し、（ｃ）は図１１の論理回路によって求められた論理和の変化を示し、（ｄ）は図１１の分配器から出力される８ビットのデータの値の変化を示している。
【図１３】（ａ）は各画素と各主走査ラインの配列を概略的に示し、図１１の各セレクタＫ，Ｌから出力される各ビットの値の変化を示し、（ｃ）は図１１の論理回路によって求められた論理積の変化を示し、（ｄ）は図１１の分配器から出力される８ビットのデータの値の変化を示している。
【図１４】第４実施形態の画像処理装置を示すブロック図である。
【図１５】図１４の多値画像処理部による処理過程を示す図である。
【図１６】図１４の多値画像処理部による他の処理過程を示す図である。
【図１７】従来の装置を例示するブロック図である。
【符号の説明】
１１  画像処理装置
３０  ディジタル複写機
４４  ＣＣＤ
４６  レーザ書き込みユニット
１０３  操作パネル
３０４  Ａ／Ｄ変換器
４１１  ページ同期検出部
４１２  ラインカウンタ
４１３  水平同期検出部
４１４  画素カウンタ
４１５  レジスタ
４１６  自己印字制御回路
【図１】
0003691732.tif 000002
【図２】
0003691732.tif 000003
【図３】
0003691732.tif 000004
【図４】
0003691732.tif 000005
【図５】
0003691732.tif 000006
【図６】
0003691732.tif 000007
【図７】
0003691732.tif 000008
【図８】
0003691732.tif 000009
【図９】
0003691732.tif 000010
【図１０】
0003691732.tif 000011
【図１１】
0003691732.tif 000012
【図１２】
0003691732.tif 000013
【図１３】
0003691732.tif 000014
【図１４】
0003691732.tif 000015
【図１５】
0003691732.tif 000016
【図１６】
0003691732.tif 000017
【図１７】
0003691732.tif 000018